(57)【要約】【課題】本発明は、原水を処理する撹拌装置に関し、撹拌装置の設置面積を少なくするとともに、急速撹拌部と緩速撹拌部との撹拌翼を回転させるトルクを小さくすることで、駆動装置の小型化による装置全体のコンパクト化を図ることが課題である。【解決手段】筒状体の一端側を閉蓋し他端側を開口させてなる槽本体２を上下方向に沿って配置し、前記槽本体に中筒体３を略同心円状になるように挿入して配置し、当該中筒体によって仕切られた前記槽本体内部の外側空間部と内側空間部とが当該槽本体の下部において連通し、前記外側空間部と前記内側空間部とには前記槽本体の軸心を中心に回転する撹拌装置６，７をそれぞれ配設し、当該撹拌装置を回転駆動させる駆動装置８を前記槽本体の上部に配置し、前記内側空間部に原水供給用のパイプを配設するとともに、前記外側空間部に処理水排出用のパイプを配設することで、前記内側空間部を急速撹拌部５とし前記外側空間部を緩速撹拌部４とした撹拌装置１とする。【選択図】図１
2007237014.tif 000002
【特許請求の範囲】
【請求項１】
筒状体の一端側を閉蓋し他端側を開口させてなる槽本体を前記開口させた側を上にして上下方向に沿って配置し、
前記槽本体の内径よりも小径の外径にした筒体であってその下側を開口させ上側を閉蓋させてなる中筒体を前記槽本体の内部空間へ上下方向に沿って略同心円状になるように挿入して配置し、
当該中筒体によって仕切られた前記槽本体内部の外側空間部と内側空間部とが当該槽本体の下部において連通し、
前記外側空間部と前記内側空間部とには前記槽本体の軸心を中心に回転する撹拌装置をそれぞれ配設し、
当該撹拌手段を回転駆動させる駆動装置を前記槽本体の上部に配置し、
前記内側空間部に原水供給用の流入管を配設するとともに、前記外側空間部に処理水排出用の排出管を配設することで、前記内側空間部を急速撹拌部とし前記外側空間部を緩速撹拌部としたこと、
を特徴とする撹拌装置。
【請求項２】
緩速撹拌部に配設された撹拌装置は、撹拌翼の枚数若しくは面積が上位置に行くに従って、段階的に若しくは連続的に、減少するように配設されていること、
を特徴とする請求項１に記載の撹拌装置。
【請求項３】
急速撹拌部における撹拌装置には、所望間隔で上下方向に沿って回転駆動軸に撹拌翼が設けられるとともに、該撹拌翼が前記回転駆動軸に対して上下方向に移動自在に取り付けられていること、
を特徴とする請求項１乃至２のいずれかに記載の撹拌装置。
【請求項４】
急速撹拌部には凝集剤を注入する注入管が、槽本体の下部から急速撹拌部の内部へと挿入して配設されるとともに、前記注入管が上下方向に昇降装置で昇降することで当該注入管に設けられた注入用孔の位置が上下方向に可変されること、
を特徴とする請求項１乃至３のいずれかに記載の撹拌装置。
【請求項５】
急速撹拌部には、中筒体の内壁の上下方向に沿って、原水供給用の流入管と、凝集剤注入用の注入管と、前記中筒体の内部の空気を外部に抜くためのエア抜き管と、処理液を検査用に外部に抜き出す採水管とが周方向に間隔を置いて配設され、当該各管が原水撹拌用の邪魔板として兼用されていること、
を特徴とする請求項１乃至４のいずれかに記載の撹拌装置。
【請求項６】
緩速撹拌部の撹拌装置は、駆動装置によって回転される急速撹拌部用の急速用回転軸に減速装置が介在され、前記急速用回転軸から分岐された別個の緩速用回転軸によって回転されること、
を特徴とする請求項１乃至５のいずれかに記載の撹拌装置。
【請求項７】
槽本体の上部が、緩速撹拌部の処理水が上昇しつつその流速が漸次減速するように、外側に拡径されていること、
を特徴とする請求項１乃至６のいずれかに記載の撹拌装置。
【請求項８】
採水管の上端開口部は、上下方向の位置が昇降装置によって可変されること、
を特徴とする請求項５乃至７のいずれかに記載の撹拌装置。
【発明の詳細な説明】
【技術分野】
【０００１】
本発明は、水中の懸濁物質を凝集処理する撹拌装置に係り、更に詳しくは、上下水，産業排水，船舶のバラスト水等を凝集処理する撹拌装置に関するものである。
【背景技術】
【０００２】
従来、例えば、浄水処理においては、粒子径が数μｍ程度の砂や泥が懸濁した原水に、凝集剤を添加して、それらの懸濁物質を粒子径０．１〜１ｍｍ程度のフロックまで粗大化させる凝集処理を行った後、前記フロックを沈降分離、上澄水を濾過・殺菌処理することで、飲料水を作り出している。
【０００３】
前記凝集処理は、原水と凝集剤とを混合しフロックの核となる微細フロックを生成する混和過程と、それらの微細フロック同士を衝突・結合させて粗大フロックを生成する凝集過程の二つに分けられる。このとき、混和過程においては原水と凝集剤とを速やかに混合するために、比較的強い撹拌力による急速撹拌を行い、凝集過程においては微細フロック同士の衝突・結合を促進する一方で、成長した粗大フロックを破壊しないように、比較的弱い撹拌力による緩速撹拌が行われる。撹拌時間は急速撹拌より緩速撹拌の方が長く、一般的に緩速撹拌時間は急速撹拌時間の数倍である。
【０００４】
そして、前記急速撹拌と緩速撹拌とは、異なる水槽で行われる場合が多く、それらに用いられる撹拌装置としては、図９に示すように、フラットタービン翼を持ったフラッシュミキサや、パドル型の撹拌装置が知られている。
【０００５】
しかしながら、従来の撹拌装置は、急速撹拌と緩速撹拌とが異なる水槽で行われるので、設置面積が大きくなる。また、それぞれの撹拌装置に駆動装置が必要であって、装置の維持管理が煩雑になる。そこで、前記急速撹拌と緩速撹拌とを一つの槽内で１本の回転軸で駆動させて効率的に行うものが提案されている（特許文献１参照）。
【特許文献１】特開平５−２９３３４９号公報
【発明の開示】
【発明が解決しようとする課題】
【０００６】
しかし、従来の撹拌装置では、設置面積が大きくなると共に駆動手段などの維持管理が煩雑である。更に、急速撹拌と緩速撹拌とを一つの槽内で行うものも、１本の回転軸を中心にその最外側の撹拌室を原水を供給する急速撹拌室とし、最内側の撹拌室を緩速撹拌室としているので、中心の回転軸から遠い急速撹拌室を強い撹拌力で撹拌させるには、撹拌翼を回転させるモータの駆動トルクを大きくする必要があり、必然的にモータが大型化する。また、回転軸が１軸であるので、急速撹拌室の撹拌翼と緩速撹拌室の撹拌翼との回転角速度（ω）若しくは回転数（ｎ）が常に同じで、これを自由に設定することができない。本発明に係る撹拌装置は、このような課題を解決するために提案されたものである。
【課題を解決するための手段】
【０００７】
本発明に係る撹拌装置の上記課題を解決して目的を達成するための要旨は、筒状体の一端側を閉蓋し他端側を開口させてなる槽本体を前記開口させた側を上にして上下方向に沿って配置し、前記槽本体の内径よりも小径の外径にした筒体であってその下側を開口させ上側を閉蓋させてなる中筒体を前記槽本体の内部空間へ上下方向に沿って略同心円状になるように挿入して配置し、当該中筒体によって仕切られた前記槽本体内部の外側空間部と内側空間部とが当該槽本体の下部において連通し、前記外側空間部と前記内側空間部とには前記槽本体の軸心を中心に回転する撹拌装置をそれぞれ配設し、当該撹拌手段を回転駆動させる駆動装置を前記槽本体の上部に配置し、前記内側空間部に原水供給用の流入管を配設するとともに、前記外側空間部に処理水排出用の排出管を配設することで、前記内側空間部を急速撹拌部とし前記外側空間部を緩速撹拌部としたことである。
【０００８】
前記緩速撹拌部に配設された撹拌装置は、撹拌翼の枚数若しくは面積が上位置に行くに従って、段階的に若しくは連続的に、減少するように配設されていること、；
前記急速撹拌部における撹拌装置には、所望間隔で上下方向に沿って回転駆動軸に撹拌翼が設けられるとともに、該撹拌翼が前記回転駆動軸に対して上下方向に移動自在に取り付けられていること、；
前記急速撹拌部には凝集剤を注入する注入管が、槽本体の下部から急速撹拌部の内部へと挿入して配設されるとともに、前記注入管が上下方向に昇降装置で昇降することで当該注入管に設けられた注入用孔の位置が上下方向に可変されること、；
前記急速撹拌部には、中筒体の内壁の上下方向に沿って、原水供給用の流入管と、凝集剤注入用の注入管と、前記中筒体の内部の空気を外部に抜くためのエア抜き管と、処理液を検査用に外部に抜き出す採水管とが周方向に間隔を置いて配設され、当該各管が原水撹拌用の邪魔板として兼用されていること、；
前記緩速撹拌部の撹拌装置は、駆動装置によって回転される急速撹拌部用の急速用回転軸に減速装置が介在され、前記急速用回転軸から分岐された別個の緩速用回転軸によって回転されること、；
前記槽本体の上部が、緩速撹拌部の処理水が上昇しつつその流速が漸次減速するように、外側に拡径されていること、；
前記採水管の上端開口部は、上下方向の位置が昇降装置によって可変されること、；
を含むものである。
【発明の効果】
【０００９】
本発明に係る撹拌装置によれば、一つの槽本体に急速撹拌部と緩速撹拌部とを併設したことで、装置全体の設置面積が小さくなるとともに、槽本体内部の内側空間部を急速撹拌部にしたことで、この急速撹拌部の撹拌装置を回転させる急速用回転軸の駆動トルクが小さくても急速撹拌作用が十分であり、当該急速用回転軸と前記緩速用回転軸とを回転させる駆動装置が小型化される。よって、駆動装置の維持管理が容易であるとともに、装置全体が従来の一体型撹拌槽よりも更にコンパクトになる。
【００１０】
前記緩速撹拌部に配設された撹拌装置は、撹拌翼の枚数若しくは面積が上位置に行くに従って、段階的に若しくは連続的に、減少するように配設されているので、微細フロックの衝突・結合を促進し、且つ、それによって成長した粗大フロックが破壊されずに保護される。
【００１１】
前記急速撹拌部の撹拌翼が上下方向に移動自在なので、フロックの核となる微細フロックが最適状態で生成されるように、原水と無機凝集剤との混合状態を可変させることができる。
【００１２】
また、急速撹拌部の下部において、高分子凝集剤を注入する注入管の注入位置を上下方向で可変できるようにすることで、緩速撹拌部に導入される前に、微細フロックを含む原水と、前記高分子凝集剤とが十分に混合するように適宜な時間に調整することができる。
【００１３】
前記急速撹拌部には、原水供給用の流入管と、凝集剤注入用の注入管と、前記中筒体の内部の空気を外部に抜くエア抜き管と、処理液を抜き出す採水管とが周方向に間隔を置いて配設され、当該各管が原水撹拌用の邪魔板として兼用されていることで、撹拌用の構造が簡素化されてコンパクトになるばかりでなく、撹拌翼とこの撹拌翼で撹拌されるべき原水とが供回りする撹拌作用の低下が防止され、効率的に原水等が撹拌される。
【００１４】
前記緩速撹拌部の撹拌装置は、減速装置を介して急速撹拌部の撹拌装置用の急速用回転軸と別個の緩速用回転軸によって回転されるようにすることで、前記急速撹拌部では微細フロックの生成に適した回転で撹拌翼を回転させ、緩速撹拌部では粗大フロックの生成に適した回転で撹拌翼を回転させることができる。このように、急速撹拌部と緩速撹拌部との各撹拌翼を異なる回転数で、独立して設定することができて、原水処理に最も適した回転数を自由に設定できる。
【００１５】
前記槽本体の上部が、緩速撹拌部の処理水が上昇しつつその流速が漸次減速するように、外側に拡径されているので、処理水の排出口付近において粗大フロックが破壊されないようにできる。
また、採水管の上端開口部は、上下方向の位置が昇降装置によって可変できることで、上下方向の任意の位置における処理水の状態を判断することができる。
【発明を実施するための最良の形態】
【００１６】
本発明に係る撹拌装置１の構成について説明する。図１に示すように、筒状体の一端側を閉蓋し他端側を開口させてなる槽本体２を前記開口させた側を上にして上下方向に沿って配置してある。そして、前記槽本体２の内径よりも小径の外径にした筒体であってその下側を開口させ上側を閉蓋させてなる中筒体３を、前記槽本体２の内部空間へ上下方向に沿って略同心円状になるように挿入して配置する。
【００１７】
前記中筒体３によって仕切られた前記槽本体２内部の外側空間部４と内側空間部５とが当該前記中筒体３の下部において連通している。そして、前記外側空間部４と前記内側空間部５とに、前記槽本体２の上下方向に沿った軸心を中心に回転する緩速用撹拌装置６，急速用撹拌装置７がそれぞれ配設されている。
【００１８】
また、前記撹拌装置６，７を回転駆動させる駆動装置であるモータ８を前記槽本体２の上部に配置する。前記内側空間部５に原水供給用の流入管９を配設するとともに、前記外側空間部４に処理水排出用の排出管１０を配設することで、前記内側空間部を急速撹拌部５とし、前記外側空間部を緩速撹拌部４として、概ね構成されている。
【００１９】
図２乃至図３を参照して、上記各構成部材について詳細に説明する。前記槽本体２は、円筒状の凝集槽であり、その底部には円錐形の底板２ａがあり、該底板２ａの中心部には、耐摩耗性の水中軸受け２ｂが設けられている。
【００２０】
前記槽本体２の上部開口端は、軸受け部２ｃを有した蓋部材２ｄで閉蓋される。前記軸受け部２ｃは、前記撹拌装置６を回転駆動させる緩速用回転軸６ａを回転自在に支持するものである。
【００２１】
前記緩速用撹拌装置６における緩速用撹拌翼については、図２に示すように、前記緩速用回転軸６ａの下部のフランジ６ｅから垂設された吊持棒６ｆに、略水平方向に突出する支持腕部によって上下方向に架設された棒状若しくは板状の緩速用撹拌翼６ｂ〜６ｄが設けられている。当該緩速用撹拌翼６ｂ〜６ｄは、下から上に行くほど撹拌翼の枚数が減少している。
【００２２】
これは、緩速撹拌部４における微細フロック同士の衝突・結合を促進させると共に、成長した粗大フロックを破壊しないようにするためである。更に、この緩速用撹拌翼６ｂ〜６ｄは、粗大フロックの成長に適するように、昇降装置で上下方向に位置を可変させたり、伸縮装置で半径方向に位置を可変させたりすることが好ましい。
【００２３】
なお、前記緩速撹拌翼６ｂ〜６ｄの撹拌用面積が上位置に行くに従って、段階的に若しくは連続的に、減少するようにするには、図示の例に限らず、例えば、下側を底辺とした三角板等でも良い。また、図３に示すように、この一例では周方向に均等配置で４カ所に前記緩速撹拌翼６ｂ〜６ｄが設けられている。
【００２４】
前記中筒体３の内側は、原水を急速に撹拌する急速撹拌部５であり、その中心に急速用回転軸１１が上下方向に沿って立設されている。該急速用回転軸１１の下端部は前記軸受け部２ｃで回転自在に支持され、上端部は前記モータ８のモータ用減速装置８ａの出力軸に連結され、蓋部材２ｄの上部に固設された軸受け部２ｅで回転自在に支持されている。
【００２５】
前記中筒体３の上端部は、蓋部材３ａで閉蓋されているとともに、その中央部で前記急速用回転軸１１を挿通させ、オイルシール３ｂ等の密封手段で封止されている。また、この中筒体３の下端部は、前記底板２ａに固定され、その近傍の周囲には、複数箇所に連通孔３ｃが設けられ、緩速撹拌部４と急速撹拌部５とを連通させている。
【００２６】
前記急速用回転軸１１には、原水を撹拌するための急速用撹拌装置７が、上下方向に複数段の撹拌翼７ａ〜７ｅとして構成されている。この撹拌翼７ａ，…，７ｅは、例えば、平板体を、図３（Ａ）に示すように、周方向に１８０°で２枚配置にしている。この図示した例に限られないのは勿論であり、前記撹拌翼７ａの周方向の枚数を３枚〜４枚などにしてもよい。
【００２７】
更に、他の実施例として、上から下へと流れる原水を撹拌するので、撹拌翼７ａ〜７ｅの側面を鉛直に沿って起立させるのではなく、図３（Ｂ）に示すように、鉛直方向に対して若干斜めに傾斜させることもできる。このようにして撹拌翼を所定方向に回転させると、原水が上に持ち上げられるようになり、降下する原水の流れに抵抗して撹拌効果が一層増すものである。
【００２８】
また、図４に示すように、撹拌翼７ａ〜７ｅは、急速用回転軸１１に対して上下方向にビス等で固定するようにすることで、移動自在に取り付けられている。原水の撹拌状態に応じて、最も効率的に撹拌されるように設定することができる。
【００２９】
図２及び図３（Ａ）に示すように、前記急速撹拌部５には、中筒体３の内壁の上下方向に沿って、原水流入用の流入管９と、ポリアクリル酸エステルやポリアクリルアミド等の高分子凝集剤を注入する注入管１２と、前記中筒体３の内部の空気を外部に抜くためのエア抜き管１３と、処理液を検査用に外部に抜き出す採水管１４とが、周方向に間隔を置いて配設されている。前記注入管１２，エア抜き管１３，採水管１４は、昇降装置（図示せず）によってそれぞれ上下方向に移動自在にされている。
【００３０】
そして、前記各管９，１２，１３，１４が、供給用，流入用や排出用等の目的に使用されるばかりでなく、中筒体３の内周壁に沿って敷設されていることで、前記撹拌翼７ａ〜７ｅで撹拌される原水がこの撹拌翼と供回りするのを邪魔する、原水撹拌用の邪魔板として兼用されている。
【００３１】
前記流入管９からは、図２に示すように、処理すべき原水と、ポリ塩化アルミ等の無機凝集剤とが供給される。前記注入管１２は、図５に示すように、槽本体２の下部から急速撹拌部５の内部へと挿入して配設されるとともに、上下方向に昇降装置で昇降することで、当該注入管１２に設けられた注入用孔１２ａの位置が、上下方向に可変されるものである。
【００３２】
前記注入管１２が槽本体２の下部から上方へと立ち上がり急速撹拌部５へ挿入されるのは、下から押し上げた圧力で注入孔１２ａから高分子凝集剤を精度良く供給することができる。仮に、上から供給するとなると、急速撹拌部５の下部に至るまでの管内に高分子凝集剤が溜まってしまい、必要以上に供給されてしまうからである。
【００３３】
この注入管１２からの高分子凝集剤の注入量を、注入圧力による可変方法とする以外にも、例えば、図６に示すように、当該注入管１２の外周を囲堯する外套管１２ｂの上端開口部から昇降装置で、注入孔１２ａを急速撹拌部５内へ突出させたり、若しくは、外套管１２ｂ内へ没入させたりして、行うことができるものである。
【００３４】
本発明の撹拌装置１の駆動装置に関しては、前記緩速撹拌部４の撹拌装置６は、図２に示すように、該撹拌装置６を回転させる緩速用回転軸６ａと駆動装置であるモータ８との間に、タイミングプーリ１５ａとタイミングベルト１５ｂとによって高精度に回転制御される減速装置１５が設けられている。この撹拌装置１の駆動源が、装置全体のコンパクト化により前記モータ８の一つとされているので、前記急速撹拌部５の急速用撹拌装置７を回転させる急速用回転軸１１から回転伝達力を分岐させている。
【００３５】
これにより、急速用回転軸１１と別個の緩速用回転軸６ａによって、緩速用撹拌装置６が回転される。前記減速装置１５の減速比を任意に設定することで、前記緩速用回転軸６ａを介して撹拌装置６を最適な回転数に設定することができる。なお、撹拌時間を考慮すれば、緩速撹拌の方が長い時間必要なので、前記急速用回転軸１１には、前記モータ８との間にクラッチ等の回転切断手段を設けておくのが好ましい。
【００３６】
このほか、撹拌装置１の他の実施例として、図２に示すように、槽本体２の上部２ｆにトラフ１７を設けたり、更に、当該トラフ１７の上縁部を、図７に示すように、Ｖ型ノッチ付きに形成したりする。これは、撹拌装置１を船内に設置した場合に、横揺れで処理水が溢出する際に、その流れが偏らないようにするものである。又、図８に示すように、槽本体２の上部２ｆが外側に拡径され喇叭形状にされたりすることで、緩速撹拌部４の処理水が上昇しつつその流速が漸次減速するように形成する。これは、流出口に近づいた粗大フロックの破壊を防止するためである。
【００３７】
また、図５に示すように、前記中筒体３の外周壁面の一部に、内部を観察するための、透明なアクリル製の窓部１６が設けられるものである。これにより、原水の処理状態を観察することが容易になる。
【００３８】
このようにしてなる本発明に係る撹拌装置１の使用について説明する。図２に示すように、まず、原水が、その配管途中で無機凝集剤が注入され、流入管９を通じて槽本体２の下部から中筒体３の上部に至る。この流入管９の上端開口部から溢出した原水が槽本体２内を満たす時に、中筒体３の空気が該中筒体３の上部からエア抜き管１３を通じて大気に排気されて、エア抜きされる。
【００３９】
前記エア抜き管１３は、中筒体３内部の急速撹拌部５が満水状態になったところで、バルブが閉じられる。この満水状態は、水面上に設けたレベルセンサ等で判断する。また、緩速撹拌部４における空気は、処理水排出用の排出管１０によって外部へとエア抜きされる。
【００４０】
前記注入された原水は、モータ８によって回転される急速用撹拌装置７により急速に撹拌されつつ、中筒体３の下部へと流れていく。この原水の降下の過程で、前記原水と前記無機凝集剤とが混和されて、フロックの核となる微細フロックが生成される。また、前記急速用撹拌翼７ａ〜７ｅで撹拌される原水が、中筒体３の内周壁に敷設された前記各管９，１２，１３，１４が邪魔板となっていて、当該撹拌翼と供回りせずに、前記邪魔板に衝突して良く撹拌されるものである。なお、前記急速用撹拌翼７ａ〜７ｅは、急速用回転軸１１に沿って上下方向に任意の位置に移動され、撹拌作用が調整される。
【００４１】
前記原水が、中筒体３の下部に至ると、注入管１２（図３参照、図２では回転軸１１の背部に位置して見えない）から高分子凝集剤が注入される。これにより、前記微細フロック同士の結合が促進される。この高分子凝集剤の注入位置は、その濃度や粘度によって前記原水等と十分に混合するのに要する時間が異なるので、上下方向に昇降装置で調整されるものである。最適な注入位置は、撹拌翼７ｅの上あたりで、急速撹拌部５の流出口の手前とする。
【００４２】
前記原水は更に降下して、中筒体３の連通孔３ｃから緩速撹拌部４へと流入する。緩速撹拌部４では、緩速用撹拌装置６によって撹拌される。この緩速用撹拌翼６ｂ〜６ｄは、前記駆動源のモータ８及びモータ用減速装置８ａに連結された急速用回転軸１１から減速装置１５を介して、回転数を１／２〜１／１０程度に減らされて、回転される。
【００４３】
前記緩速用撹拌翼６ｂ〜６ｄは、翼の枚数を例えば３枚、２枚、１枚と段階的に減らすことで、流入口付近では前記微細フロックの衝突・結合を促進し、流出口付近では成長した粗大フロックが破壊されない。また、処理水の流出口でも、粗大フロックの破壊を防止するために、図２に示すように、槽本体２上部のトラフ１７や、図８に示す喇叭形状の上部２ｆにより、処理水の流速が減速されて好ましいものである。
【００４４】
処理水は、緩速撹拌部４の上部から排出管１０によって、次行程に流出する。なお、中筒体３の内周壁面に敷設された採水管１４（図３参照）により、処理水を一部抜き出して、原水の処理程度を判断する。この採水管１４も、上下方向に移動自在でその位置を可変できるので、上端開口部の位置を変えて任意位置のフロックの成長度合いを確認することができる。
【図面の簡単な説明】
【００４５】
【図１】本発明に係る撹拌装置１の概略構成図である。
【図２】同本発明の撹拌装置１の縦断面図である。
【図３】図２におけるＡ−Ａ線に沿った断面図（Ａ）と、急速用撹拌翼７の他の例を示す一部斜視図（Ｂ）である。
【図４】同撹拌装置１における、急速用撹拌翼７ａが上下方向に位置を可変できる様子を示す説明図である。
【図５】同撹拌装置１における注入管１２が中筒体３の下部から配設され、上下方向に移動できる様子と、窓部１６が設けられている様子を示す斜視図である。
【図６】注入管１２において、急速撹拌部５の内部に突出する注入孔１２ａの数を増減させることで、凝集剤注入量を増減させる方法を示す説明図である。
【図７】トラフ１７を形成する外周壁における上縁部の形状を示す一部拡大正面図である。
【図８】同撹拌装置１の他の実施例を示す概略構成図である。
【図９】従来例に係る撹拌装置の急速撹拌槽の斜視図（Ａ）と、緩速撹拌槽の斜視図（Ｂ）とである。
【符号の説明】
【００４６】
１          撹拌装置、
２          槽本体、                        ２ａ      底板、
２ｂ        水中軸受け、                    ２ｃ      軸受け部、
２ｄ        蓋部材、                        ２ｅ      軸受け部、
２ｆ        上部、
３          中筒体、                        ３ａ      蓋部材、
３ｂ        オイルシール、                  ３ｃ      連通孔、
４          緩速撹拌部、
５          急速撹拌部、
６          緩速用撹拌装置、                ６ａ      緩速用回転軸、
６ｂ，６ｃ，６ｄ          緩速用撹拌翼、
６ｅ        フランジ、
６ｆ        吊持棒、
７          急速用撹拌装置、                ７ａ〜７ｅ  撹拌翼、
８          モータ、
９          流入管、
１０        排出管、
１１        急速用回転軸、
１２        注入管、                        １２ａ      注入用孔、
１２ｂ      外套管、
１３        エア抜き管、
１４        採水管、
１５        減速装置、                      １５ａ      タイミングプーリ、
１５ｂ      タイミングベルト、
１６        窓部、
１７        トラフ。
【図１】
2007237014.tif 000003
【図２】
2007237014.tif 000004
【図３】
2007237014.tif 000005
【図４】
2007237014.tif 000006
【図５】
2007237014.tif 000007
【図６】
2007237014.tif 000008
【図７】
2007237014.tif 000009
【図８】
2007237014.tif 000010
【図９】
2007237014.tif 000011